(57)【要約】【目的】  薄型になっても着脱側コネクタの方向が誤って結合されることを確実に防止でき、しかも、当該コネクタを含めた電子回路ないし電子機器を安価にできるコネクタ誤結合防止装置を提供することを目的とする。【構成】  着脱側コネクタ３が搭載されるボード４に、固定側コネクタ２を搭載する印刷配線基板１に向かって突出する鍵５を設け、正しい向きで着脱側コネクタ３を固定側コネクタ２に接続した時に上記鍵５が突入する鍵穴６を印刷配線基板１に形成する。方向を違えた着脱側コネクタ３は固定側コネクタ２に強引に差込もうとしても、鍵５と鍵穴６の位置が合わず、鍵５が印刷配線基板１に支えるので差込めない。【選択図】  図１
2005123411.tif 000002
【特許請求の範囲】
【請求項１】
印刷配線基板に搭載された固定側コネクタに結合可能な着脱側コネクタが搭載されるボードと、該ボードと上記印刷配線基板との一方に形成される他方に向かって突出する鍵と、正しい向きで上記着脱側コネクタを固定側コネクタに接続した時に上記鍵が突入する鍵穴が形成された他方とを備えることを特徴とするコネクタ誤結合防止装置。
【請求項２】
上記鍵及び上記鍵穴の形状と、上記固定側コネクタ及び着脱側コネクタからの上記鍵及び上記鍵穴の距離と、固定側コネクタ及び着脱側コネクタに対する上記鍵及び上記鍵穴の方向とうち少なくとも１つを両コネクタ毎に異ならせた請求項１に記載のコネクタ誤結合防止装置。
【請求項３】
上記ボードの差込み方向中間部に該ボードを幅方向に縊れさせた縊部が形成されていることを特徴とする請求項１に記載のコネクタ誤結合防止装置。
【発明の詳細な説明】
【技術分野】
【０００１】
本発明は、印刷配線基板に固定された固定側コネクタに着脱側コネクタが方向を誤って結合されたり、配線接続上対応しない着脱側コネクタが固定側コネクタに結合されることを防止するコネクタ誤結合防止手装置に関する。
【背景技術】
【０００２】
一般に、印刷配線基板への配線の結合に用いられるコネクタは、印刷配線基板に固定されるコネクタ（以下、固定側コネクタという。）と、この固定側コネクタに抜差しされるコネクタ（以下、着脱側コネクタという。）で構成されている。
【０００３】
着脱側コネクタが向きを誤って固定側コネクタに結合されることを防止するコネクタ誤結合防止装置として、固定側コネクタと着脱側コネクタとのいずれか一方に形成された鍵と、その他方に形成された鍵穴とを用いる技術が後掲する特許文献１に開示されている。
【特許文献１】特開２０００−６７９５１号公報
【発明の開示】
【発明が解決しようとする課題】
【０００４】
固定側コネクタ又は着脱側コネクタが小型になると、コネクタの保形力が弱くなる。そのため、方向を誤っていたり、配線接続上の対応関係を誤っていたりしても、固定側コネクタを強引に着脱側コネクタを差込もうとすると、鍵や鍵穴が変形したり破損したりして、差し込めるようになる。着脱側コネクタが強引に差し込まれると、鍵や鍵穴が変形したり破損したりするだけでなく、コネクタ自体も変形したり破損したりする恐れがある。
【０００５】
そこで、本発明に係る第１のコネクタ誤結合防止装置は、小型になっても着脱側コネクタの方向が誤って固定側コネクタに結合されたり、配線上対応していない固定側コネクタに結合されたりすることを確実に防止できるコネクタ誤結合防止装置を提供することを目的とする。
【課題を解決するための手段】
【０００６】
本発明は、上記の目的を達成するため、印刷配線基板に搭載された固定側コネクタに結合される着脱側コネクタが搭載されるボードと、該ボードと上記印刷配線基板との一方に形成され他方に向かって突出する鍵と、正しい向きで上記着脱側コネクタを固定側コネクタに接続した時に上記鍵が突入する鍵穴が形成された他方とを備えることを特徴とする技術的手段を採用する。
【０００７】
本発明においては、着脱側コネクタを誤った向きで固定側コネクタに結合しようとすると、鍵と鍵穴の位置が合わないので、鍵が鍵穴に入らないために、着脱側コネクタを固定側コネクタに結合することができない。
【０００８】
又、本発明によれば、鍵及び鍵穴がコネクタに備えられるのではなく、印刷配線基板又はボードに備えられる。よって、コネクタが小さくても大きな鍵や鍵穴を形成することができるので、コネクタが小さくても着脱側コネクタを誤った向きで強引に固定側コネクタに結合することが防がれる。これにより、強引に差し込まれることによるコネクタの変形や破損を防止することができる。さらに、鍵及び鍵穴が印刷配線基板又はボードに備えられるので、コネクタ誤結合防止のために固定側コネクタ又は着脱側コネクタを特殊な形状に形成する必要がない。
【０００９】
上記鍵及び上記鍵穴の形状と、上記固定側コネクタ及び着脱側コネクタからの上記鍵及び上記鍵穴の距離と、固定側コネクタ及び着脱側コネクタに対する上記鍵及び上記鍵穴の方向とうち少なくとも１つを両コネクタ毎に異ならせてもよい。
【００１０】
例えば、複数の同種の固定側コネクタと複数の同種の着脱側コネクタがある場合、配線が対応した固定側コネクタと着脱側コネクタからなるコネクタ対に備えられる鍵と鍵穴の位置、形状をコネクタ対毎に異ならせると、配線が対応していない固定側コネクタに着脱側コネクタを結合しようとすると、鍵と鍵穴の位置や形状が合わず結合することができない。
【００１１】
ところで、本発明において、作業員は、上記着脱側コネクタのボードを持って抜差しするが、このとき、ボードの厚さ方向を挟んで抜差しを行うことが多い。しかし、作業員が指で挟む部分の表面は、実装部品やリードが配置されているので、汗、脂などで実装部品やリードを変形させて短絡を起こさせたり、実装部品とリードを断絶させたりすることがある。
【００１２】
そこで、本発明においては、上記ボードの差込み方向中間部に該ボードを幅方向に縊れさせた縊部が形成されていることを特徴とする構成を採用し、着脱側コネクタを固定側コネクタに抜差しする際に、作業者が自然にボードの縊部を幅方向の両側から指で挟んで持つように仕向けることが好ましい。
【発明の効果】
【００１３】
以上に説明したように、本発明によれば、着脱側コネクタを誤った向きで固定側コネクタに結合しようとすると、鍵と鍵穴の位置が合わないので、小型であっても着脱側コネクタが向きを誤って固定側コネクタに強引に結合されることを確実に防止することができる。
【００１４】
又、コネクタ誤結合防止のために固定側コネクタ又は着脱側コネクタを特殊形状にする必要がないので、一般に普及している安価なものを用いて、当該固定側コネクタ及び着脱側コネクタを含む電子回路、及び該電子回路を含む電子機器が全体として安価になる効果を得ることができる。
【００１５】
さらに、複数の同種の着脱用コネクタと固定側コネクタがあっても、着脱側コネクタを配線が対応していない固定側コネクタに結合しようとすると、鍵と鍵穴の位置が合わない。そのため、配線が対応していない固定側コネクタに着脱側コネクタを結合されることを防止することができる。
【発明を実施するための最良の形態】
【００１６】
本発明に係るコネクタ誤結合防止装置を実施するための最良の形態を図面に基づいて具体的に説明すると、以下の通りである。
【００１７】
図１は、本発明の一実施例に係るコネクタ誤結合防止装置の正面図であり、このコネクタ誤結合防止装置は、印刷配線基板１に搭載された固定側コネクタ２に結合される着脱側コネクタ３が向きを誤って結合されることを防止するために、以下の形態で実施される。
【００１８】
本実施の形態においては、上記固定側コネクタ２と着脱側コネクタ３は、角筒形に形成される角型コネクタである。上記着脱側コネクタ３は、固定側コネクタ２が搭載される印刷配線基板１と別の印刷配線基板からなるボード４の片面（ここでは手前側の面）に、接着、溶着などの手法を用いて搭載されている。
【００１９】
該ボード４は、必要に応じて、上記着脱側コネクタ３よりもその幅方向に広く形成され、着脱側コネクタ３の横に張り出している部分から上記印刷配線基板１に向かって一連に突出させた鍵５を備える。
【００２０】
上記印刷配線基板１には、上記着脱側コネクタ３を固定側コネクタ２に抜差しする方向（以下、抜差し方向という。）から見て、ボード４に形成された鍵５と対応する上記固定側コネクタ２の位置に鍵穴６が形成されている。
【００２１】
この鍵穴６は、上記鍵５を抜差し方向に着脱側コネクタ３を抜差しできる形状と寸法を備えておればよい。ここでは鍵穴６は、鍵５とよりも適当に大きな寸法で、抜差し方向から見た鍵５に相似する形状にして、鍵５と鍵穴６との間の適当な範囲での位置誤差に対応できるようにしている。
【００２２】
又、図１に示すように、この鍵穴６には、必要に応じて、ゴムからなる緩衝材７を装着して、鍵穴６の周縁と鍵穴６に突入した鍵５との接触によるびびり音などの騒音や、鍵５及び鍵穴６の摩耗や変形を防止するようにしてもよい。
【００２３】
上記着脱側コネクタ３を固定側コネクタ２に結合させる時に、着脱側コネクタ３の向きが抜差し方向の軸心の回りに１８０°誤っていると、鍵５と鍵穴６とがコネクタ対を挟んで反対側に位置することを作業員が視認でき、着脱側コネクタ３が逆方向になっていることに気付き易くなる。
【００２４】
又、この視認が怠られた場合や、この視認が困難な場合には、着脱側コネクタ３を固定側コネクタ２に差込もうとすると、鍵５の位置と鍵穴６の位置が合わないので、鍵５が印刷配線基板１に支えられて、着脱側コネクタ３を固定側コネクタ２に差込むことができない。そのため、着脱側コネクタ３が方向を誤って固定側コネクタ２に結合されることはない。
【００２５】
又、上記固定側コネクタ２と着脱側コネクタ３自身が鍵５や鍵穴６を備えるわけではないので、両コネクタ２、３を特殊な形状（規格外の形状）に形成する必要がない。よって、例えば市販品のように汎用性が高く、安価なものを用いることにより、これら固定側、着脱側両コネクタ２、３を含めた電子回路や、電子機器全体を安価にすることができる。
【００２６】
ところで、上記ボード４の抜差し方向中央部を、該ボード４の幅方向に縊れさせた縊部８に形成している。
【００２７】
これにより、固定側コネクタ２に着脱側コネクタ３を抜差しする時に、作業者が自然にこの縊部８を指で幅方向の両側から挟むようにして持つように仕向けられ、着脱側コネクタ３を固定側コネクタ２に抜差する時に、縊部８を指で挟むようになるので、指でボード４に配置された実装部品やリードを汚染したり、短絡や断線を発生させたりすることを防止できる。
【００２８】
なお、この実施例は、本発明を角型コネクタに適用したものであるが、本発明の適用範囲は角型コネクタに限らず、丸型コネクタにも本発明を適用することができる。
【００２９】
図２は本発明の一実施例に係るコネクタ誤結合防止装置が適用されるカラー複写機に用いる印刷配線基板１の平面図であり、この印刷配線基板１には、形状が同じであるマゼンタ色用の固定側コネクタ２ｍと、黄色用の固定側コネクタ２ｙと、シアン色用の固定側コネクタ２ｃと、黒色用の固定側コネクタ２ｂとが１列に並べて搭載される。
【００３０】
これらの固定側コネクタ２ｍ、２ｙ、２ｃ、２ｂに結合される着脱側コネクタ３ｍ、３ｙ、３ｃ、３ｂが搭載されたボード４に、それぞれの色の潜像を形成するためのＬＥＤアレイの補正データ等が記憶されている。これらの固定側コネクタ２ｍ、２ｙ、２ｃ、２ｂの形状は同じである。このため、着脱側コネクタ３ｍ、３ｙ、３ｃ、３ｂが異なる色用の固定側コネクタ２ｍ、２ｙ、２ｃ、２ｂに誤って接続される可能性があるが、この実施例では、この種の誤接続を以下のようにして防止している。
【００３１】
先ず、図３の正面図に示すように、各着脱側コネクタ３ｍ、３ｙ、３ｃ、３ｂが搭載される４枚のボード４ｍ、４ｙ、４ｃ、４ｂ毎に、その印刷配線基板１側端縁から着脱側コネクタ３ｍ、３ｙ、３ｃ、３ｂに対する幅方向の位置を異ならせて印刷配線基板１側に突出させた鍵５ｍ、５ｙ、５ｃ、５ｂが、４枚のボード４ｍ、４ｙ、４ｃ、４ｂに形成されている。
【００３２】
これらの鍵５ｍ、５ｙ、５ｃ、５ｂは、ボード４ｍ、４ｙ、４ｃ、４ｂ毎に、対応する着脱側コネクタ３ｍ、３ｙ、３ｃ、３ｂからの距離及び、着脱側コネクタ３ｍ、３ｙ、３ｃ、３ｂに対する方向を異ならせてある。
【００３３】
具体的には、この実施例においては、マゼンタ色用と黒色用の鍵５ｍ、５ｂがそれらに対応する着脱側コネクタ３ｍ、３ｂからの距離Ｂｍ、Ｂｂを、黄色用とシアン色用の鍵５ｙ、５ｃがそれらに対応する着脱側コネクタ３ｙ、３ｃからの距離Ｂｙ、Ｂｃの約２倍としている。また、マゼンタ色用と黄色用の鍵５ｍ、５ｙがそれらに対応する着脱側コネクタ３ｍ、３ｙに対する方向とシアン色用と黒色用の鍵５ｃ、５ｂがそれらに対応する着脱側コネクタ３ｃ、３ｂに対する方向を互いに逆方向にしている。又、マゼンタ色用と黒色用の鍵５ｍ、５ｂがそれらの対応する着脱側コネクタ３ｍ、３ｂからの距離は等しくし、黄色用とシアン色用の鍵５ｙ、５ｃがそれらに対応する着脱側コネクタ３ｙ、３ｃからの距離Ｂｙ、Ｂｃも等しくしている。
【００３４】
図２に示すように、上記印刷配線基板１には、各固定側コネクタ２ｍ、２ｙ、２ｃ、２ｂと隣接して、各固定側コネクタ２ｍ、２ｙ、２ｃ、２ｂに対応する色用の着脱側コネクタ３ｍ、３ｙ、３ｃ、３ｂが正しい方向で差込まれる時に、抜差し方向から見て上記鍵５ｍ、５ｙ、５ｃ、５ｂに重なる位置に各色用の鍵穴６ｍ、６ｙ、６ｃ、６ｂが形成される。
【００３５】
即ち、マゼンタ色用と黒色用の鍵穴６ｍ、６ｂがそれらに対応する固定側コネクタ２ｍ、２ｂからの距離Ａｍ、Ａｂを、黄色用とシアン色用の鍵穴６ｙ、６ｃがそれらに対応する固定側コネクタ２ｙ、２ｃからの距離Ａｙ、Ａｃの約２倍とし、マゼンタ色用と黄色用の鍵穴６ｍ、６ｙがそれらに対応する固定側コネクタ２ｍ、２ｙに対する方向とシアン色用と黒色用の鍵穴６ｃ、６ｂがそれらに対応する固定側コネクタ２ｃ、２ｂに対する方向を互いに逆方向にしている。又、マゼンタ色用と黒色用の鍵穴６ｍ、６ｂが対応する固定側コネクタ２ｍ、２ｂからの距離は等しくし、黄色用とシアン色用の鍵穴６ｙ、６ｃがそれらに対応する固定側コネクタ２ｙ、２ｃからの距離Ａｙ、Ａｃも等しくしている。
【００３６】
この実施例において、ある固定側コネクタ、例えばマゼンタ色用の固定側コネクタ２ｍに異なる色用の着脱側コネクタ、例えば黄色用の着脱側コネクタ３ｙを接続させようとすれば、固定側コネクタ２ｍに対する鍵穴６ｍの位置と着脱側コネクタ３ｙに対する鍵５ｙの位置が合わないので、鍵５ｙが印刷配線基板１に支えられて固定側コネクタ２ｍに着脱側コネクタ３ｙを差込むことが不可能になる。
【００３７】
又、任意の色の固定側コネクタ、例えばマゼンタ色用の固定側コネクタ２ｍに対応するマゼンタ色用の着脱側コネクタ３ｍが向きを誤って差込まれようとしても、鍵５ｍと鍵穴６ｍの位置が合わないので、差込むことはできない。
【００３８】
なお、この実施例においては、実際には、鍵穴６ｍ、６ｙ、６ｃ、６ｂは鍵５ｍ、５ｙ、５ｃ、５ｂに対して大きく形成され、それぞれの周縁部に緩衝材７が装着されるが、図３においては各鍵穴６ｍ、６ｙ、６ｃ、６ｂに装着する緩衝材７は省略し、各鍵穴６ｍ、６ｙ、６ｃ、６ｂが各鍵５ｍ、５ｙ、５ｃ、５ｂに対応する形状で示されている。
【００３９】
なお、この実施例においては、鍵５ｍ、５ｙ、５ｃ、５ｂ及び鍵穴６ｍ、６ｙ、６ｃ、６ｂの固定側コネクタ２ｍ、２ｙ、２ｃ、２ｂ及び着脱側コネクタ３ｍ、３ｙ、３ｃ、３ｂに対する距離と方向を異ならせているが、これに限定されず、例えば距離だけを異ならせたり、方向だけを異ならせたりしてもよい。また、距離と方向は同じにして、例えば鍵５ｍ、５ｙ、５ｃ、５ｂ及び鍵穴６ｍ、６ｙ、６ｃ、６ｂの板厚や板幅を各鍵５ｍ、５ｙ、５ｃ、５ｂ及び鍵穴６ｍ、６ｙ、６ｃ、６ｂごとに異ならせたりしてもよい。
【図面の簡単な説明】
【００４０】
【図１】本発明の正面図である。
【図２】本発明を搭載する印刷配線基板の平面図である。
【図３】本発明の正面図である。
【符号の説明】
【００４１】
１  印刷配線基板
２  固定側コネクタ
３  着脱側コネクタ
４  ボード
５  鍵
６  鍵穴
８  縊部
【図１】
2005123411.tif 000003
【図２】
2005123411.tif 000004
【図３】
2005123411.tif 000005